(57)【要約】【課題】指の侵入等を防止する塞部を有した小型のコネクタ装置等を提供する。【解決手段】互いに嵌合可能な第一コネクタと第二コネクタとから成る。第二コネクタの第二ハウジングは、第一コネクタと第二コネクタの嵌合時に第一コネクタの挿入口を通じて第一コネクタの第一ハウジングにそれぞれが挿入される複数の立設部分を有する。複数の立設部分は、対向する２つの立設部分を組として隙間を形成し、第二コンタクト部材は、隙間に第一コンタクト部材が挿入される際に第一コンタクト部材と接触する。第一コネクタの挿入口には、第二コネクタの複数の立設部分の隙間に対応する位置に、挿入口の一部を塞ぐ塞部が設けられており、第一コネクタと第二コネクタの嵌合時に、第一コンタクト部材とともに２つの立設部分の隙間に収容される。【選択図】図１
2014078465.tif 000002
【特許請求の範囲】
【請求項１】
互いに嵌合可能な第一コネクタと第二コネクタとから成るコネクタ装置であって、
前記第一コネクタは、挿入口を有する第一ハウジングと、前記第一ハウジングに設けられた第一コンタクト部材と、を有し、
前記第二コネクタは、第二ハウジングと、前記第二ハウジングに設けられた第二コンタクト部材と、を有し、
前記第二ハウジングは、前記第一コネクタと前記第二コネクタの嵌合時に前記第一コネクタの前記挿入口を通じて前記第一ハウジングにそれぞれが挿入される、前記第一コネクタと前記第二コネクタとの嵌合方向に沿って立設された複数の立設部分を有し、前記複数の立設部分は、対向する２つの立設部分を組として隙間を形成し、該隙間に、前記第一コネクタと前記第二コネクタの嵌合時に前記第一コンタクト部材が挿入されるようになっており、
前記第二コンタクト部材は、前記立設部分において前記２つの立設部分の隙間に挿入された前記第一コンタクト部材の対応位置に設けられ、前記２つの立設部分の隙間に前記第一コンタクト部材が挿入される際に前記第一コンタクト部材と接触するようになっており、
前記第一コネクタの前記挿入口には、前記第二コネクタの前記複数の立設部分の隙間に対応する位置に、前記挿入口の一部を塞ぐ塞部が設けられており、前記塞部は、前記第一コンタクト部材よりも前記第一コネクタと前記第二コネクタとの嵌合側に近い側に配置され、前記第一コネクタと前記第二コネクタの嵌合時に、前記第一コンタクト部材とともに前記２つの立設部分の隙間に収容されることを特徴とするコネクタ装置。
【請求項２】
前記塞部は、前記第一コンタクト部材の第一接触子及び第二接触子の変位を許容する貫通穴又は凹部を有している、請求項１に記載のコネクタ装置。
【請求項３】
前記塞部は前記挿入口に格子状に設けられている請求項２に記載のコネクタ装置。
【請求項４】
前記第一コンタクト部材には、相手側の接触子に向って変位可能な状態で変位方向において相対して配置された、互いに組を構成する、第一接触子と第二接触子が含まれる請求項１乃至３のいずれかに記載のコネクタ装置。
【請求項５】
前記２つの立設部分には、第一立設部分と第二立設部分が含まれ、前記第二コンタクト部材には、第一接触子と第二接触子が含まれ、これら第一接触子と第二接触子は、前記第一立設部分と前記第二立設部分のそれぞれに、前記第一コンタクト部材の第一接触子及び第二接触子の前記変位方向に沿って相対した状態で設けられており、
前記第一立設部分と前記第二立設部分によって形成された隙間に前記第一コンタクト部材の第一接触子及び第二接触子が収容される際、前記第一立設部分において前記第二コンタクト部材の第一接触子が前記一コンタクト部材の第一接触子と接触して前記第一コンタクト部材の第一接触子を前記第二コンタクト部材の第二接触子の側に変位させ、また、前記第二立設部分において前記第二コンタクト部材の第二接触子が前記第一コンタクト部材の第二接触子と接触して前記第一コンタクト部材の第二接触子を前記第二コンタクト部材の第一接触子の側に変位させる、請求項４に記載のコネクタ装置。
【請求項６】
前記第一コンタクト部材の第一接触子と第二接触子はそれぞれ、前記組を構成する相手側の接触子から前記変位方向において遠ざかる側に凸湾曲した第一接触部と第二接触部を有し、
前記第一コネクタと前記第二コネクタの嵌合時に、前記第一接触子及び前記第二接触部がそれぞれ、前記第二コンタクト部材の第一接触子及び第二接触子と弾性接触することにより、前記第一接触子と前記第二接触子はそれぞれ、前記組を構成する相手側の接触子に前記変位方向において接近する方向に変位するようになっており、
前記第一コンタクト部材の第一接触子の接触部は、前記第一コンタクト部材の第二接触子の接触部よりも、前記第一コネクタと前記第二コネクタとの嵌合側に近い側に配置され、これにより、前記第一コンタクト部材の第一接触子と第二接触子がそれぞれ、前記変位方向に沿って前記組を構成する相手側の接触子に向って前記貫通穴を通じて変位したときに、前記第一コンタクト部材の第二接触子の接触部付近が、前記第一コンタクト部材の第一接触子の接触部によって前記組を構成する相手側の接触子に向って形成された凹湾曲空間に逃げる、請求項４又は５に記載のコネクタ装置。
【請求項７】
互いに嵌合可能なコネクタと他のコネクタとから成るコネクタ装置に用いる、前記コネクタであって、
前記コネクタは、挿入口を有するハウジングと、前記ハウジングに設けられたコンタクト部材と、を有し、
前記他のコネクタは、他のハウジングと、前記他のハウジングに設けられた他のコンタクト部材と、を有し、
前記第一コネクタと前記第二コネクタの嵌合時に、前記他のコンタクト部材は、前記コンタクト部材と接触するようになっており、
前記コネクタの前記挿入口には、前記挿入口の一部を塞ぐ塞部が設けられており、前記塞部は、前記コンタクト部材よりも前記コネクタと前記他のコネクタとの嵌合側に近い側に配置され、前記塞部を形成するために設けられた貫通穴又は凹部によって、前記第一コンタクト部材の第一接触子及び第二接触子の変位を許容することを特徴とするコネクタ。
【発明の詳細な説明】
【技術分野】
【０００１】
本発明は、互いに嵌合可能な２つのコネクタから成るコネクタ装置及び該装置に用いるコネクタであって、特に、コンタクト部材を配した一方のコネクタが、他方のコネクタに設けた挿入口を通じて他方のコネクタに挿入されることにより、一方のコネクタのコンタクト部材と他方のコネクタのコンタクト部材とが接触するタイプのコネクタ装置であって、挿入口に他方のコネクタ内部への指の侵入等を防ぐ塞部が設けられたコネクタ装置等に関する。
【背景技術】
【０００２】
図１７、１８に、特開２０１２−３８４９７号公報に開示された従来のコネクタ装置１１０の一例を示す。これらの図は、レセプタクルコネクタ１２０とプラグコネクタ１６０の嵌合動作を示す断面図であって、図１７は特に、嵌合前の状態を、図２０は、嵌合途中の状態を、それぞれ示したものである。
【０００３】
コネクタ装置１１０は、図示矢印「ア」方向（嵌合方向）に沿って嵌合可能なレセプタクルコネクタ１２０とプラグコネクタ１６０の対で形成されている。
レセプタクルコネクタ１２０は、挿入口１２３を有するハウジング１２１と、このハウジング１２１に設けられたコンタクト部材１３０を有する。コンタクト部材１３０には、短端子１４２と長端子１５１が含まれる。
プラグコネクタ１６０は、ハウジング１６１と、このハウジング１６１に設けられたコンタクト部材１７０を有する。コンタクト部材１７０は、板状部分に固定され、相対して配置された板状端子１７７と板状端子１７８を組として構成されており、これら板状端子の隙間を利用して嵌合穴１６４が形成されている。
【０００４】
レセプタクルコネクタ１２０とプラグコネクタ１６０の嵌合時には、レセプタクルコネクタ１２０の短端子１４２と長端子１５１が、プラグコネクタ１６０の嵌合穴１６４に挿入され、短端子１４２は、嵌合穴１６４の一の側面を形成する一方の板状端子１７７と弾性接触し、一方、長端子１５１は、嵌合穴１６４の他の側面を形成する他方の板状端子１７８と弾性接触する。
【０００５】
挿入口１２３には、嵌合穴１６４を仕切る壁部１２４が並列に配置されている。この壁部１２４は、レセプタクルコネクタ１２０の挿入孔１２３へ指が侵入等して端子１４２、１５１と触れることを防止する機能も有する。
レセプタクルコネクタ１２０とプラグコネクタ１６０の嵌合時には、レセプタクルコネクタ１２０の壁部１２４は、プラグコネクタ１６０の嵌合穴１６４と嵌合穴１６４との間に位置する壁に設けた隙間１６５に収容される。プラグコネクタ１６０に、このような隙間１６５を設けることにより、レセプタクルコネクタ１２０の壁部１２４が、レセプタクルコネクタ１２０とプラグコネクタ１６０の嵌合を妨げることが防止されている。
【先行技術文献】
【特許文献】
【０００６】
【特許文献１】特開２０１２−３８４９７号公報
【発明の概要】
【発明が解決しようとする課題】
【０００７】
このような構造の従来のコネクタ装置では、嵌合穴１６４同士の間に、壁部１２４を収容するためのスペースが必要とされることから、このスペースを確保するために装置が大型化するといった問題が生じていた。一方、壁部１２４を設けない場合には、指の侵入等を防止することができなくなるといった問題が生じてしまう。
【０００８】
本願発明は、上記の問題点を解決するためになされたものであり、指の侵入等を防止しつつ、装置を小型化することができるコネクタ装置を提供することを目的とする。
【課題を解決するための手段】
【０００９】
本発明のコネクタ装置は、互いに嵌合可能な第一コネクタと第二コネクタとから成るコネクタ装置であって、前記第一コネクタは、挿入口を有する第一ハウジングと、前記第一ハウジングに設けられた第一コンタクト部材と、を有し、前記第二コネクタは、第二ハウジングと、前記第二ハウジングに設けられた第二コンタクト部材と、を有し、前記第二ハウジングは、前記第一コネクタと前記第二コネクタの嵌合時に前記第一コネクタの前記挿入口を通じて前記第一ハウジングにそれぞれが挿入される、前記第一コネクタと前記第二コネクタとの嵌合方向に沿って立設された複数の立設部分を有し、前記複数の立設部分は、対向する２つの立設部分を組として隙間を形成し、該隙間に、前記第一コネクタと前記第二コネクタの嵌合時に前記第一コンタクト部材が挿入されるようになっており、前記第二コンタクト部材は、前記立設部分において前記２つの立設部分の隙間に挿入された前記第一コンタクト部材の対応位置に設けられ、前記２つの立設部分の隙間に前記第一コンタクト部材が挿入される際に前記第一コンタクト部材と接触するようになっており、前記第一コネクタの前記挿入口には、前記第二コネクタの前記複数の立設部分の隙間に対応する位置に、前記挿入口の一部を塞ぐ塞部が設けられており、前記塞部は、前記第一コンタクト部材よりも前記第一コネクタと前記第二コネクタとの嵌合側に近い側に配置され、前記第一コネクタと前記第二コネクタの嵌合時に、前記第一コンタクト部材とともに前記２つの立設部分の隙間に収容されることを特徴とする。
このように、挿入口の一部を塞ぐ塞部を、第二コネクタの複数の立設部分の隙間に対応する位置に設けたことにより、装置を大型にすることなく、指の侵入等を防止することができる。
【００１０】
上記コネクタ装置において、前記塞部は、前記第一コンタクト部材の第一接触子及び第二接触子の変位を許容する貫通穴又は凹部を有していてもよい。また、前記塞部は前記挿入口に格子状に設けられていてもよい。
【００１１】
また、上記コネクタ装置において、前記第一コンタクト部材には、相手側の接触子に向って変位可能な状態で変位方向において相対して配置された、互いに組を構成する、第一接触子と第二接触子が含まれていてもよい。
【００１２】
更に、上記コネクタ装置において、前記２つの立設部分には、第一立設部分と第二立設部分が含まれ、前記第二コンタクト部材には、第一接触子と第二接触子が含まれ、これら第一接触子と第二接触子は、前記第一立設部分と前記第二立設部分のそれぞれに、前記第一コンタクト部材の第一接触子及び第二接触子の前記変位方向に沿って相対した状態で設けられており、前記第一立設部分と前記第二立設部分によって形成された隙間に前記第一コンタクト部材の第一接触子及び第二接触子が収容される際、前記第一立設部分において前記第二コンタクト部材の第一接触子が前記一コンタクト部材の第一接触子と接触して前記第一コンタクト部材の第一接触子を前記第二コンタクト部材の第二接触子の側に変位させ、また、前記第二立設部分において前記第二コンタクト部材の第二接触子が前記第一コンタクト部材の第二接触子と接触して前記第一コンタクト部材の第二接触子を前記第二コンタクト部材の第一接触子の側に変位させる、ものであってもよい。
【００１３】
更に、上記コネクタ装置において、前記第一コンタクト部材の第一接触子と第二接触子はそれぞれ、前記組を構成する相手側の接触子から前記変位方向において遠ざかる側に凸湾曲した第一接触部と第二接触部を有し、前記第一コネクタと前記第二コネクタの嵌合時に、前記第一接触子及び前記第二接触部がそれぞれ、前記第二コンタクト部材の第一接触子及び第二接触子と弾性接触することにより、前記第一接触子と前記第二接触子はそれぞれ、前記変位方向において前記組を構成する相手側の接触子に接近する方向に変位するようになっており、前記第一コンタクト部材の第一接触子の接触部は、前記第一コンタクト部材の第二接触子の接触部よりも、前記第一コネクタと前記第二コネクタとの嵌合側に近い側に配置され、これにより、前記第一コンタクト部材の第一接触子と第二接触子がそれぞれ、前記変位方向に沿って前記組を構成する相手側の接触子に向って前記貫通穴を通じて変位したときに、前記第一コンタクト部材の第二接触子の接触部付近が、前記第一コンタクト部材の第一接触子の接触部によって前記組を構成する相手側の接触子に向って形成された凹湾曲空間に逃げる、構造となっているのが好ましい。
本発明は更に、互いに嵌合可能なコネクタと他のコネクタとから成るコネクタ装置に用いる、前記コネクタであって、前記コネクタは、挿入口を有するハウジングと、前記ハウジングに設けられたコンタクト部材と、を有し、前記他のコネクタは、他のハウジングと、前記他のハウジングに設けられた他のコンタクト部材と、を有し、前記第一コネクタと前記第二コネクタの嵌合時に、前記他のコンタクト部材は、前記コンタクト部材と接触するようになっており、前記コネクタの前記挿入口には、前記挿入口の一部を塞ぐ塞部が設けられており、前記塞部は、前記コンタクト部材よりも前記コネクタと前記他のコネクタとの嵌合側に近い側に配置され、前記塞部を形成するために設けられた貫通穴又は凹部によって、前記第一コンタクト部材の第一接触子及び第二接触子の変位を許容することを特徴とする。
【発明の効果】
【００１４】
本願発明によれば、指の侵入等を防止するための塞部を有するにもかかわらず、小型のコネクタ装置を提供することができる。
【図面の簡単な説明】
【００１５】
【図１】本発明による一例としてのコネクタ装置のレセプタクルコネクタの斜視図である。
【図２】本発明による一例としてのコネクタ装置のプラグコネクタの斜視図である。
【図３】本発明による他の例としてのコネクタ装置のレセプタクルコネクタの斜視図である。
【図４】本発明による他の例としてのコネクタ装置のプラグコネクタの斜視図である。
【図５】コンタクト部材の斜視図である。
【図６】図５のコンタクト部材の前面図である。
【図７】図５のコンタクト部材の平面図である。
【図８】コンタクト部材の斜視図である。
【図９】図８のコンタクト部材の前面図である。
【図１０】図８のコンタクト部材の平面図である。
【図１１】本コネクタ装置の正面図及び左側面図であって、レセプタクルコネクタとプラグコネクタの嵌合前の状態を示す図である。
【図１２】図１１におけるＩ−Ｉ線断面図である。
【図１３】図１１におけるII−II線断面図である。
【図１４】本コネクタ装置の正面図及び左側面図であって、レセプタクルコネクタとプラグコネクタの嵌合後の状態を示す図である。
【図１５】図１４におけるＩ−Ｉ線断面図である。
【図１６】図１４におけるII−II線断面図である。
【図１７】従来のコネクタ装置の一例を示す断面図であって、コネクタ装置に含まれるコネクタ同士が嵌合する前の状態を示す図である。
【図１８】従来のコネクタ装置の一例を示す図であって、コネクタ装置に含まれるコネクタ同士が嵌合している途中の状態を示す図である。
【発明を実施するための形態】
【００１６】
添付図面を参照しつつ、本発明の一つの好適な実施形態を説明する。
本発明のコネクタ装置１０は、互いに嵌合可能なレセプタクルコネクタ２０とプラグコネクタ６０から成る。図１に、本発明による一例としてのコネクタ装置１０のレセプタクルコネクタ２０の斜視図を、図２に、このレセプタクルコネクタ２０と嵌合可能なプラグコネクタ６０の斜視図を、それぞれ示す。これらレセプタクルコネクタ２０とプラグコネクタ６０は着脱自在に嵌合して互いに電気的に接続され得る。
【００１７】
図１に示すように、レセプタクルコネクタ２０は、主に、レセプタクルコネクタ２０とプラグコネクタ６０の嵌合時にプラグコネクタ６０の所定部分が挿入される挿入口２３を有したレセプタクルハウジング２１と、この挿入口２３との関係でレセプタクルハウジング２１に固定して設けられたコンタクト部材３０から成る。コンタクト部材３０は、例えば、基板１１に半田付けすることによって固定した状態で使用される。
【００１８】
レセプタクルコネクタ２０の挿入口２３に、挿入口２３の一部を閉塞する複数の塞部２４が格子状に設けられている。これら複数の塞部２４は、コンタクト部材３０よりもレセプタクルコネクタ２０とプラグコネクタ６０との嵌合側に近い側に突出した状態で設けられており、これにより、プラグコネクタ６０の挿入を許容しつつ、挿入口２３を通じた不用意な指の挿入等を防止することができる。尚、塞部２４は、ハウジング２１の両側壁から、挿入口２を閉塞する方向に延びていればよく、必ずしも図示のようにブリッジ状に繋がっている必要はない。指等の挿入を防止できればよいのであって、その形状は限定されない。また、塞部２４同士の間隔は設計事項であって、状況に応じて自由に設定することができる。レセプタクルコネクタ２０の挿入口２３は、ここでは基板１１に対して垂直に配置されている。尚、レセプタクルコネクタ２０は、補強金具１３を利用して基板１１に固定されていてもよい。
【００１９】
プラグコネクタ６０は、主に、プラグハウジング６１と、このプラグハウジング６１に固定して設けられたコンタクト部材７０から成る。コンタクト部材７０は、例えば、基板１２に半田付けすることにより固定した状態で使用される。尚、プラグコネクタ６０は、補強金具７３を利用して基板１２に固定されていてもよい。
【００２０】
プラグコネクタ６０のプラグハウジング６１には、基台６２と、この基台６２からレセプタクルコネクタ２０とプラグコネクタ６０との嵌合方向（図示矢印「ア」方向）に沿って櫛歯状に立設された複数の板状体６３が含まれる。これら複数の板状体６３は、それぞれ、レセプタクルコネクタ２０とプラグコネクタ６０の嵌合時に、レセプタクルコネクタ２０の挿入口２３を通じてレセプタクルハウジング２１に挿入される。
【００２１】
板状体６３は、互いに面する方向（図示矢印「イ」方向）に沿って対向する２つの板状体６３ａ、６３ｂを組として、図示矢印「ウ」方向に開放された隙間７８を形成している。レセプタクルコネクタ２０の挿入口２３に図示矢印「イ」方向に沿って並列に配した複数の塞部２４は、これらの各隙間７８にそれぞれに対応して設けられており、レセプタクルコネクタ２０とプラグコネクタ６０の嵌合時には、プラグコネクタ６０に設けられたこれらの各隙間７８に、レセプタクルコネクタ２０のコンタクト部材３０が挿入されるとともに、各塞部２４も収容される。
【００２２】
各隙間７８を形成する板状体６３ａ、６３ｂには、各隙間７８に挿入されたレセプタクルコネクタ２０のコンタクト部材３０の対応位置において、各板状体６３ａ、６３ｂに沿ってコンタクト部材７０が設置されている。レセプタクルコネクタ２０とプラグコネクタ６０の嵌合時には、プラグコネクタ６０のコンタクト部材７０と、各隙間７８に挿入されたレセプタクルコネクタ２０のコンタクト部材３０とが接触し通電し得る。
【００２３】
図３、図４に、コネクタ装置の他の例を斜視図で示す。図３は、コネクタ装置１０’のレセプタクルコネクタ２０’の斜視図を、図４は、このレセプタクルコネクタ２０’と対で使用されるプラグコネクタ６０’の斜視図を、それぞれ示している。これらの図では、図１と同様の部材には同様の参照番号を用い、「’」を付している。コネクタ装置１０のレセプタクルコネクタ２０やプラグコネクタ６０と同様に、これらレセプタクルコネクタ２０’とプラグコネクタ６０’は着脱自在に互いに嵌合して電気的に接続され得る。コネクタ装置１０’の基本構成は、図１に示したコネクタ装置１０と同じである。相違は、基板１１’や基板１２’に対する、レセプタクルコネクタ２０’やプラグコネクタ６０’の設置向きのみである。尚、設置向きの相違により、当然に、嵌合方向は異なる。例えば、図１の例では、基板１１、１２の基板面同士を互いに接近させるようにして、レセプタクルコネクタ２０とプラグコネクタ６０を嵌合させるタイプのものであったが、図３、図４のコネクタ装置１０’では、レセプタクルコネクタ２０’の嵌合穴２３’が基板１１’に対して水平に、また、プラグコネクタ６０’の板状体６３’が基板１２’に対して水平に、それぞれ立設していることから、基板１１’、１２’の縁同士を互いに接近させるようにして、レセプタクルコネクタ２０’とプラグコネクタ６０’を嵌合させることになる。
【００２４】
尚、これら図１、図２に示した例は、組み合わせ方法を限定するものではない。例えば、図１のレセプタクルコネクタ２０と図４のプラグコネクタ６０’を組み合わせることもできるし、或いは、図２のプラグコネクタ６０と図３のレセプタクルコネクタ２０’を組み合わせることもできる。組み合わせは、状況に応じて自由に変更できる。
【００２５】
図５乃至図７を参照して、レセプタクルコネクタ２０のコンタクト部材３０の構成を、更に詳細に説明する。図５は、コンタクト部材３０の斜視図、図６は、その前面図、図７は、その平面図である。
【００２６】
コンタクト部材３０は、基部４０、５０からそれぞれ延びる、厚み方向（図示矢印「イ」方向）に弾性変位作用を有する複数の接触子、例えば４個の接触子４１、５２、５１、４２を有する。これら複数の接触子４１、５２、５１、４２は、レセプタクルコネクタ２０とプラグコネクタ６０との嵌合方向（図示矢印「ア」方向）に沿って立設した状態で設けられている。
【００２７】
接触子４１、５２、５１、４２には、２つのタイプが含まれる。即ち、比較的長さの長い長接触子５２、５１と、比較的長さの短接触子４１、４２である。長接触子５２、５１と短接触子４１、４２の実質的な相違は、基部４０、５０からの長さが長いか短いかにある。
【００２８】
長さの異なるこれら長接触子５２、５１と短接触子４１、４２はそれぞれ、相手側の接触子に向かう変位方向（図示矢印「イ」方向）において相対して配置され、相隣り合って互いに組を構成している。例えば、長接触子５２と短接触子４１が一つの組を構成し、また、長接触子５１と短接触子４２が一つの組を構成し得る。
【００２９】
これら長接触子５２、５１と短接触子４１、４２は、例えば、変位方向（図示矢印「イ」方向）においてある所定幅（図６の「ａ」）で互いに離間して設けられており、各接触子５２、５１、４１、４２に対応して、固定部５２Ｄ、５１Ｄ、４１Ｄ、４２Ｄを有する。これら固定部５２Ｄ、５１Ｄ、４１Ｄ、４２Ｄと、コンタクト部材３０の基部４０との間には、それぞれ、曲部５２Ｃ、５１Ｃ、４１Ｃ、４２Ｃが設けられており、これらの曲部５２Ｃ、５１Ｃ、４１Ｃ、４２Ｃを設けることによって、固定部５２Ｄと固定部４１Ｄ、或いは、固定部５１Ｄと固定部４２Ｄは、互いに近接した状態とすることができる。互いに近接させたこれらの固定部５２Ｄと固定部４１Ｄ、或いは、固定部５１Ｄと固定部４２Ｄは、それぞれ、基板１１に設けた所定の各穴（後述する図１２、１３、１５の各「穴１６」）に挿入されて、そこに半田付けされ得る。
【００３０】
コンタクト部材３０とハウジング２１を固定するため、各基部４０、５０の両側部に、圧入部４１Ｅ、５１Ｅや圧入部５２Ｅ、４２Ｅが設けられていてもよい。ハウジング２１の所定部分にこれらを圧入することによって、接触子をハウジング２１の所定位置に立設した状態で設けることができる。
【００３１】
また、長接触子５２、５１及び短接触子４１、４２は、それぞれ、外方に、即ち、相隣り合って組を構成する相手側の接触子（例えば、長接触子５２の相手側の接触子は短接触子４１、長接触子５１の相手側の接触子は短接触子４２）から変位方向（図示矢印「イ」方向）において遠ざかる側に、凸湾曲した凸湾曲部５２Ａ、５１Ａ、４１Ａ、４２Ａを、またこれらに対応する凹湾曲部５２Ｂ、５１Ｂ、４１Ｂ、４２Ｂを有する。
【００３２】
レセプタクルコネクタ２０とプラグコネクタ６０の嵌合時には、これら凸湾曲部５２Ａ、５１Ａ、４１Ａ、４２Ａはそれぞれ、少なくともプラグコネクタ６０の隙間７８に一部が配置されたコンタクト部材７０と弾性接触し、この結果、長接触子５１と短接触子４２、或いは、長接触子５２と短接触子４１は、それぞれ、内方に、即ち、相隣り合って組を構成する相手側の接触子（例えば、長接触子５２の相手側の接触子は短接触子４１、短接触子４１の相手側の接触子は長接触子５２である）に変位方向（図示矢印「イ」方向）において接近する方向に変位する。
【００３３】
尚、短接触子４１、４２は、長接触子５１、５２に比べ、基部４０、５０からの嵌合方向（図示矢印「ア」方向）における長さが短く設定されていることから、長接触子５２、５１の接触部５２Ａ、５１Ａは、嵌合方向に沿う方向においては、短接触子４１、４２の接触部４１Ａ、４２Ａよりも、レセプタクルコネクタ２０とプラグコネクタ６０との嵌合側に近い側に配置される。この結果、長接触子５２、５１の接触部５２Ａ、５１Ａと、短接触子４１、４２の接触部４１Ａ、４２Ａが、それぞれ、変位方向（図示矢印「イ」方向）に沿って、内方に変位したとき、短接触子４１、４２の接触部４１Ａ、４２Ａ付近は、長接触子５２、５１の接触部５２Ａ、５１Ａによって内方に形成された凹湾曲空間５２Ｇ、５１Ｇに逃げるため、長接触子５２、５１と短接触子４１、４２が衝突することはない。このような構成により、接触子の変位量を十分に確保する一方で、装置の小型化も図られる。
【００３４】
レセプタクルコネクタ２０とプラグコネクタ６０の嵌合時に、長接触子５２と短接触子４１、或いは、長接触子５１と短接触子４２とが、可能な限り互いに接近することを許容するため、それら長接触子５２と短接触子４１の間、或いは、長接触子５１と短接触子４２の間に、貫通穴２５が設けられている。貫通穴２５を設けて、長接触子と短接触子とを可能な限り接近可能とすることにより、接触子と塞部２５との衝突を防止するとともに、装置の小型化を図ることができる。この場合、塞部２４は、貫通穴２５の上部にブリッジ状に形成され、また、長接触子５２、５１と短接触子４１、４２の略中間に位置付けられる。
【００３５】
尚、図５、図６に示す例では、長接触子５２及び短接触子４２を、一枚の板から、また、長接触子５１及び短接触子４１を、他の一枚の板から、それぞれ形成し、後にそれらを組み合わせるものとしたが、長接触子５２及び短接触子４２と、長接触子５１及び短接触子４１は、互いに電気的に接続されていてもよい。従って、例えば、これらの接触子の全てを、一枚の金属板を打ち抜き、折り曲げることによって形成することができる。但し、接触の信頼性を高めるため、コンタクト部材３０には金メッキが施すのが好ましい。
【００３６】
図８乃至図１０を参照して、プラグコネクタ６０のコンタクト部材７０の構成を、更に詳細に説明する。図８は、コンタクト部材７０の斜視図、図９は、その前面図、図１０は、その平面図である。
【００３７】
コンタクト部材７０は、レセプタクルコネクタ２０とプラグコネクタ６０との嵌合方向に沿って立設された板状の接触子７６と接触子７７を備える。これら接触子７６及び接触子７７はいずれも、嵌合方向（図示矢印「ア」方向）に沿って面を形成し、また、コンタクト部材３０に含まれる長接触子５２、５１及び短接触子４１、４２の変位方向（図示矢印「イ」方向）に沿って相対した状態で設けてある。接触子７６、接触子７７の両側部には、圧入部７６Ｅ、７６Ｅ’、及び、圧入部７７Ｅ、７７Ｅ’が設けられていてもよい。
【００３８】
接触子７６及び接触子７７は、それぞれ、プラグハウジング６１、更に言えば、１つの組を構成する対向する２つの板状体６３ａ、６３ｂの各々に配置される。従って、接触子７６と接触子７７は、２つの板状体６３ａ、６３ｂと同様に、互いに、変位方向（図示矢印「イ」方向）に沿って相対した状態で設けられる。
【００３９】
接触子７６及び接触子７７は、例えば、コンタクト部材３０の接触子５２、４１、４２、５１の変位方向（図示矢印「イ」方向）に沿って、ある所定幅（図９の「ｂ」）で互いに離間して設けられている。接触子７６には、固定部７６Ｄ、７６Ｄ’が、また、接触子７７には、固定部７７Ｄ、７７Ｄ’が、それぞれ設けられており、更に、固定部７６Ｄ、７６Ｄ’と接触子７６との間、或いは、固定部７７Ｄ、７７Ｄ’と接触子７７との間には、それぞれ、曲部７６Ｃ、７６Ｃ’、或いは、曲部７７Ｃ、７７Ｃ’が設けられている。これらの曲部７６Ｃ、７６Ｃ’、７７Ｃ、７７Ｃ’を設けたことにより、固定部７６Ｄと固定部７７Ｄ、或いは、固定部７６Ｄ’と固定部７７Ｄ’を、互いに近接した状態とすることができ、互いに近接させたこれらの固定部７６Ｄと固定部７７Ｄ、或いは、固定部７６Ｄ’と固定部７７Ｄ’は、それぞれ、基板１２に設けた所定の各穴（後述する図１２、１３、１５の各「穴１７」）に挿入されて、そこに半田付けされ得る。
【００４０】
尚、接触子７６及び接触子７７は、互いに電気的に接続されていてもよい。従って、例えば、これらの接触子７６、７７の双方を、一枚の金属板を打ち抜き、折り曲げることによって形成することができる。但し、接触の信頼性を高めるため、コンタクト部材７０には金メッキが施すのが好ましい。
【００４１】
図１１は、本コネクタ装置１０の概観を示す図であって、（ａ）は、その正面図、（ｂ）は、その左側面図、図１２は、図１１の（ａ）におけるＩ−Ｉ線断面図、図１３は、図１１の（ｂ）におけるII−II線断面図である。これら図１１乃至図１３は、特に、レセプタクルコネクタ２０とプラグコネクタ６０の嵌合前の状態を示している。
これに対し、図１４乃至図１６は、図１１乃至図１３のそれぞれに対応する図であって、レセプタクルコネクタ２０とプラグコネクタ６０の嵌合後の状態を示したものである。
【００４２】
これらの図から明らかなように、レセプタクルコネクタ２０とプラグコネクタ６０の嵌合時には、プラグコネクタ６０の板状体６３ａと板状体６３ｂによって形成された隙間７８に、図示矢印「ア」方向において、コンタクト部材３０の長接触子５２、５１、及び、短接触子４１、４２が収容される。また、これと同時に、接触子の組同士の間に形成された隙間２７、つまり、長接触子５２と短接触子４１や長接触子５１と短接触子４２によって構成される接触子の第一の組「Ａ」と、同様の接触子によって構成された、図示矢印「イ」方向において第一の組「Ａ」と相隣り合う第二の組「Ｂ」と、の間に形成された隙間２７に、図示矢印「ア」方向において、板状の接触子７６、７７を設けた板状体６３が収容される。
また、この際、板状体６３ａにおいては、板状体６３ａに設けたプラグコネクタ６０のコンタクト部材７０の接触子７６が、レセプタクルコネクタ２０のコンタクト部材３０の長接触子５２及び短接触子４２と、それらの接触部５２Ａ及び接触部４２Ａにおいて弾性接触し、長接触子５２及び短接触子４２を、プラグコネクタ６０のコンタクト部材７０の板状体６３ｂ（及び接触子７７）の側に変位させる。一方、板状体６３ｂにおいては、板状体６３ｂに設けたプラグコネクタ６０のコンタクト部材７０の接触子７７が、レセプタクルコネクタ２０のコンタクト部材３０の短接触子４１及び長接触子５１とそれらの接触部４１Ａ及び接触部５１Ａにおいて弾性接触し、短接触子４１及び長接触子５１を、プラグコネクタ６０のコンタクト部材７０の板状体６３ａ（及び接触子７６）の側に変位させる。
これら各接触子の変位時には、各組を構成する長接触子５２と短接触子４１が、或いは、長接触子５１と短接触子４２が、それぞれ、互いに接近することになるが、上述したように、塞部２４には貫通穴２５が設けられていることから、これら接触子と塞部２４とが衝突することはない。また、長接触子と短接触子に関しても、上述したように、短接触子４１、４２の接触部４１Ａ、４２Ａ付近は、長接触子５２、５１の接触部５２Ａ、５１Ａによって内方に形成された凹湾曲空間５２Ｇ、５１Ｇに逃げることから、長接触子５２、５１と短接触子４１、４２が衝突することはない。
【００４３】
ここで、長接触子５１と長接触子５２は、嵌合方向に沿う方向において同位置に配置されていることから、また、短接触子４１と短接触子４２は、嵌合方向に沿う方向において同位置に配置されていることから、レセプタクルコネクタ２０とプラグコネクタ６０の嵌合の際、それらは同じタイミングでコンタクト部材７０の接触子７６や接触子７７とそれぞれ接触し得る。このように、同じタイミングで接触させることにより、長接触子５１、５２や、短接触子４１、４２によってコンタクト部材７０に加わる力を効率的に分散させることができる。また、本実施例では、長接触子５１と長接触子５２が点対照に、また、短接触子４１と短接触子４２が点対称に、それぞれ配置されていることから、コンタクト部材７０は、均等に分散された力を受けることになる。よって、嵌合動作をより安定したものとすることができる。更に、短接触子４１、４２は、嵌合方向（図示矢印「ア」方向）において長接触子５１、５２よりもプラグコネクタ６０から遠くに位置付けられていることから、長接触子５１、５２が接触した後にコンタクト部材７０と接触することになり、この結果、コンタクト部材７０が受ける力を効率よく分散させることができる。
尚、上の実施形態では、コンタクト部材３０、７０を、図示矢印「イ」方向において組を形成するもの、つまり、コンタクト部材３０に関しては長接触子と短接触子の組を、コンタクト部材７０に関しては板状の接触子７６と板状の接触子７７の組を形成するものとして説明したが、必ずしも組を構成する必要はなく、図示矢印「イ」方向において一方の側にのみ接触子を設けた構成であってもよい。
また、塞部の下側には貫通穴を設け、また、塞部はブリッジ状とすることとしていたが、接触子の変位が許容されれば足り、必ずしも貫通穴とする必要はなく、例えば、凹部等であってもよいし、また、必ずしもブリッジ状とする必要はなく、例えば、片持ち梁状等としてもよい。
【符号の説明】
【００４４】
１０  コネクタ装置
１１  基板
１２  基板
２０  レセプタクルコネクタ
２１  ハウジング
２３  挿入口
２４  ブリッジ部材
２５  貫通穴
３０  コンタクト部材
６０  プラグコネクタ
６１  ハウジング
７０  コンタクト部材
【図１】
2014078465.tif 000003
【図２】
2014078465.tif 000004
【図３】
2014078465.tif 000005
【図４】
2014078465.tif 000006
【図５】
2014078465.tif 000007
【図６】
2014078465.tif 000008
【図７】
2014078465.tif 000009
【図８】
2014078465.tif 000010
【図９】
2014078465.tif 000011
【図１０】
2014078465.tif 000012
【図１１】
2014078465.tif 000013
【図１２】
2014078465.tif 000014
【図１３】
2014078465.tif 000015
【図１４】
2014078465.tif 000016
【図１５】
2014078465.tif 000017
【図１６】
2014078465.tif 000018
【図１７】
2014078465.tif 000019
【図１８】
2014078465.tif 000020